【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
入力された画像データを符号化する符号化装置において、
前記画像データを所定のサイズのブロックにブロック化するブロック化手段と、
前記ブロック化手段によってブロック化された各ブロックの特徴量として、少なくとも画素値が極値である画素の数を示す極値数を検出する検出手段と、
前記検出手段によって検出された前記特徴量に基づき、各ブロックの符号化方式を決定する決定手段と、
前記決定手段によって決定された各ブロックの前記符号化方式に従って、前記各ブロックの画像データを符号化する符号化手段と
を含むことを特徴とする符号化装置。
【請求項２】
前記画像データには、ノイズが付加されている
ことを特徴とする請求項１に記載の符号化装置。
【請求項３】
入力された前記画像データにノイズを付加するノイズ付加手段を
さらに含むことを特徴とする請求項１に記載の符号化装置。
【請求項４】
前記画像データは、少なくとも１度符号化された後、復号化されている
ことを特徴とする請求項１に記載の符号化装置。
【請求項５】
前記符号化手段の出力結果を復号化する復号化手段を
さらに含むことを特徴とする請求項１に記載の符号化装置。
【請求項６】
前記検出手段は、前記ブロック化手段によってブロック化された各ブロックの特徴量として、前記各ブロックにそれぞれ含まれる画素の画素値のばらつきを示すアクティビティ、および前記各ブロックにそれぞれ含まれる画素のダイナミックレンジも検出する
ことを特徴とする請求項１に記載の符号化装置。
【請求項７】
前記決定手段は、前記検出手段によって検出された前記特徴量に基づき、前記ブロックをブロック群に分類して、同一のブロック群に属するブロックに対しては同一の符号化方式を決定する
ことを特徴とする請求項６に記載の符号化装置。
【請求項８】
前記決定手段は、符号化方式として、離散コサイン変換において画質を決定するためのパラメータであるクオリティを決定し、
前記符号化手段は、前記決定手段によって決定された前記クオリティに従って調整した量子化テーブルを用い、前記各ブロックの画像データに離散コサイン変換を施す
ことを特徴とする請求項６に記載の符号化装置。
【請求項９】
前記符号化手段は、前記ブロック毎に前記離散コサイン変換の結果である離散コサイン係数と前記クオリティを符号化結果として出力する
ことを特徴とする請求項８に記載の符号化装置。
【請求項１０】
前記決定手段は、前記検出手段によって検出された前記特徴量に基づき、符号化方式として、各ブロックに含まれる画素の画素値と画素位置との関係を示す近似式の次数を決定し、
前記符号化手段は、各ブロックに含まれる画素の画素値と画素位置に基づき、前記決定手段によって次数が決定された前記近似式の各次数項の係数を算出する
ことを特徴とする請求項１に記載の符号化装置。
【請求項１１】
前記決定手段は、前記検出手段によって検出された前記特徴量に基づき、符号化方式として、各ブロックに含まれる画素の画素値と画素位置との関係を示す２次元ｉ次多項式の次数ｉを決定し、
前記符号化手段は、各ブロックに含まれる画素の画素値と画素位置に基づく最小自乗法により、前記決定手段によって次数ｉが決定された前記２次元ｉ次多項式の各次数項の係数を算出する
ことを特徴とする請求項１に記載の符号化装置。
【請求項１２】
前記符号化手段は、前記ブロック毎に前記２次元ｉ次多項式の次数ｉおよび各次数項の係数を符号化結果として出力する
ことを特徴とする請求項１１に記載の符号化装置。
【請求項１３】
入力された画像データを符号化する符号化方法において、
前記画像データを所定のサイズのブロックにブロック化するブロック化ステップと、
前記ブロック化ステップの処理でブロック化された各ブロックの特徴量として、少なくとも画素値が極値である画素の数を示す極値数を検出する検出ステップと、
前記検出ステップの処理で検出された前記特徴量に基づき、各ブロックの符号化方式を決定する決定ステップと、
前記決定ステップの処理で決定された各ブロックの前記符号化方式に従って、前記各ブロックの画像データを符号化する符号化ステップと
を含むことを特徴とする符号化方法。
【請求項１４】
入力された画像データを符号化するためのプログラムであって、
前記画像データを所定のサイズのブロックにブロック化するブロック化ステップと、
前記ブロック化ステップの処理でブロック化された各ブロックの特徴量として、少なくとも画素値が極値である画素の数を示す極値数を検出する検出ステップと、
前記検出ステップの処理で検出された前記特徴量に基づき、各ブロックの符号化方式を決定する決定ステップと、
前記決定ステップの処理で決定された各ブロックの前記符号化方式に従って、前記各ブロックの画像データを符号化する符号化ステップと
を含むことを特徴とするコンピュータが読み取り可能なプログラムが記録されている記録媒体。
【請求項１５】
入力された画像データを符号化するためのプログラムであって、
前記画像データを所定のサイズのブロックにブロック化するブロック化ステップと、
前記ブロック化ステップの処理でブロック化された各ブロックの特徴量として、少なくとも画素値が極値である画素の数を示す極値数を検出する検出ステップと、
前記検出ステップの処理で検出された前記特徴量に基づき、各ブロックの符号化方式を決定する決定ステップと、
前記決定ステップの処理で決定された各ブロックの前記符号化方式に従って、前記各ブロックの画像データを符号化する符号化ステップと
を含む処理をコンピュータに実行させることを特徴とするプログラム。
【請求項１６】
画像データが所定のサイズのブロックにブロック化され、各ブロックにおける画像データの特徴量に基づいて決定された符号化方式により符号化されている符号化データを復号化する復号化装置において、
前記符号化データから、各ブロックの符号化方式を示す情報を抽出する抽出手段と、
前記抽出手段によって抽出された前記情報に基づいて復号化方式を決定し、前記復号化方式に従って前記符号化データから前記画像データを復元する復元手段と
を含み、
前記特徴量には、少なくとも画素値が極値である画素の数を示す極値数が含まれる
ことを特徴とする復号化装置。
【請求項１７】
前記抽出手段は、前記符号化データから、各ブロックの符号化方式を示す情報として、離散コサイン変換の結果である離散コサイン係数とクオリティを抽出し、
前記復元手段は、前記クオリティに従って調整した量子化テーブルを用いて、前記離散コサイン係数に逆離散コサイン変換を施すことにより、前記画像データを復元する
ことを特徴とする請求項１６に記載の復号化装置。
【請求項１８】
前記抽出手段は、前記符号化データから、各ブロックの符号化方式を示す情報として、
各ブロックに含まれる画素の画素値と画素位置の関係を示す近似式の次数および各次数項の係数を抽出し、
前記復元手段は、前次数および前記係数に基づいて前記近似式を生成し、生成した前記近似式に画素位置を代入して画素値を算出することにより、前記画像データを復元する
ことを特徴とする請求項１６に記載の復号化装置。
【請求項１９】
画像データが所定のサイズのブロックにブロック化され、各ブロックにおける画像データの特徴量に基づいて決定された符号化方式により符号化されている符号化データを復号化する復号化方法において、
前記符号化データから、各ブロックの符号化方式を示す情報を抽出する抽出ステップと、
前記抽出ステップの処理で抽出された前記情報に基づいて復号化方式を決定し、前記復号化方式に従って前記符号化データから前記画像データを復元する復元ステップと
を含み、
前記特徴量には、少なくとも画素値が極値である画素の数を示す極値数が含まれる
ことを特徴とする復号化方法。
【請求項２０】
画像データが所定のサイズのブロックにブロック化され、各ブロックにおける画像データの特徴量に基づいて決定された符号化方式により符号化されている符号化データを復号化するためのプログラムであって、
前記符号化データから、各ブロックの符号化方式を示す情報を抽出する抽出ステップと、
前記抽出ステップの処理で抽出された前記情報に基づいて復号化方式を決定し、前記復号化方式に従って前記符号化データから前記画像データを復元する復元ステップと
を含み、
前記特徴量には、少なくとも画素値が極値である画素の数を示す極値数が含まれる
ことを特徴とするコンピュータが読み取り可能なプログラムが記録されている記録媒体。
【請求項２１】
画像データが所定のサイズのブロックにブロック化され、各ブロックにおける画像データの特徴量に基づいて決定された符号化方式により符号化されている符号化データを復号化するためのプログラムであって、
前記符号化データから、各ブロックの符号化方式を示す情報を抽出する抽出ステップと、
前記抽出ステップの処理で抽出された前記情報に基づいて復号化方式を決定し、前記復号化方式に従って前記符号化データから前記画像データを復元する復元ステップと
を含む処理をコンピュータに実行させ、
前記特徴量には、少なくとも画素値が極値である画素の数を示す極値数が含まれる
ことを特徴とするプログラム。
【請求項２２】
画像データを符号化する符号化部と、前記符号化部の出力を復号化する復号化部とを備え、前記画像データに対して符号化と復号化を繰り返すと前記画像データが劣化される画像処理システムにおいて、
前記符号化部は、
前記画像データを所定のサイズのブロックにブロック化するブロック化手段と、
前記ブロック化手段によってブロック化された各ブロックの特徴量として、少なくとも画素値が極値である画素の数を示す極値数を検出する検出手段と、
前記検出手段によって検出された前記特徴量に基づき、各ブロックの符号化方式を決定する決定手段と、
前記決定手段によって決定された各ブロックの前記符号化方式に従って、前記各ブロックの画像データを符号化する符号化手段とを含む
ことを特徴とする画像処理システム。
【請求項２３】
画像データを符号化する符号化部と、前記符号化部の出力を復号化する復号化部とを備え、前記画像データに対して符号化と復号化を繰り返すと前記画像データが劣化される画像処理システムにおいて、
前記復号化部は、
画像データが所定のサイズのブロックにブロック化され、各ブロックにおける画像データの特徴量に基づいて決定された符号化方式により符号化されている符号化データから、各ブロックの符号化方式を示す情報を抽出する抽出手段と、
前記抽出手段によって抽出された前記情報に基づいて復号化方式を決定し、前記復号化方式に従って前記符号化データから前記画像データを復元する復元手段とを含み、
前記特徴量には、少なくとも画素値が極値である画素の数を示す極値数が含まれる
ことを特徴とする画像処理システム。
【手続補正２】
【補正対象書類名】明細書
【補正対象項目名】発明の名称
【補正方法】変更
【補正の内容】
【発明の名称】符号化装置および方法、記録媒体、プログラム、並びに画像処理システム
【手続補正３】
【補正対象書類名】明細書
【補正対象項目名】０００１
【補正方法】変更
【補正の内容】
【０００１】
本発明は、符号化装置および方法、記録媒体、プログラム、並びに画像処理システムに関し、特に、アナログデータのコピーを抑止する場合に用いて好適な符号化装置および方法、記録媒体、プログラム、並びに画像処理システムに関する。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】削除
【補正の内容】
【手続補正１９】
【補正対象書類名】明細書
【補正対象項目名】００４９
【補正方法】変更
【補正の内容】
【００４９】
本発明の第１の画像処理システムにおいては、符号化部により、画像データが所定のサイズのブロックにブロック化され、ブロック化された各ブロックの特徴量として、少なくとも画素値が極値である画素の数を示す極値数が検出される。そして、検出された特徴量に基づき、各ブロックの符号化方式が決定され、決定された各ブロックの符号化方式に従って、各ブロックの画像データが符号化される。
【手続補正２０】
【補正対象書類名】明細書
【補正対象項目名】００５１
【補正方法】削除
【補正の内容】
【手続補正２１】
【補正対象書類名】明細書
【補正対象項目名】００５２
【補正方法】削除
【補正の内容】
【手続補正２２】
【補正対象書類名】明細書
【補正対象項目名】００５３
【補正方法】削除
【補正の内容】
【手続補正２３】
【補正対象書類名】明細書
【補正対象項目名】００５４
【補正方法】変更
【補正の内容】
【００５４】
本発明の第２の画像処理システムにおいては、復号化部により、符号化データから、各ブロックの符号化方式を示す情報が抽出され、抽出された情報に基づいて復号化方式が決定され、決定された復号化方式に従って符号化データから画像データが復元される。
【手続補正２４】
【補正対象書類名】明細書
【補正対象項目名】００６９
【補正方法】削除
【補正の内容】
【手続補正２５】
【補正対象書類名】明細書
【補正対象項目名】００７０
【補正方法】変更
【補正の内容】
【００７０】
請求項１６に記載の復号化装置（例えば、図１の再生装置１４）は、符号化データから、各ブロックの符号化方式を示す情報を抽出する抽出手段（例えば、図６の符号化データ分離部７１）と、抽出手段によって抽出された情報に基づいて復号化方式を決定し、復号化方式に従って符号化データから画像データを復元する復元手段（例えば、図６のブロック復号化部７２）とを含み、特徴量には、少なくとも画素値が極値である画素の数を示す極値数が含まれる。
【手続補正２６】
【補正対象書類名】明細書
【補正対象項目名】００７１
【補正方法】変更
【補正の内容】
【００７１】
請求項１７に記載の抽出手段（例えば、図３の符号化データ分離部７１）は、符号化データから、各ブロックの符号化方式を示す情報として、離散コサイン変換の結果である離散コサイン係数とクオリティを抽出し、復元手段（例えば、図１３の逆量子化部９２）は、クオリティに従って調整した量子化テーブルを用いて、離散コサイン係数に逆離散コサイン変換を施すことにより、画像データを復元する。
【手続補正２７】
【補正対象書類名】明細書
【補正対象項目名】００７２
【補正方法】変更
【補正の内容】
【００７２】
請求項１８に記載の抽出手段（例えば、図２３の符号化データ分離部７１）は、符号化データから、各ブロックの符号化方式を示す情報として、各ブロックに含まれる画素の画素値と画素位置の関係を示す近似式の次数および各次数項の係数を抽出し、復元手段（例えば、図２３のブロック復号化部７２）は、前次数および係数に基づいて近似式を生成し、生成した近似式に画素位置を代入して画素値を算出することにより、画像データを復元する。
【手続補正２８】
【補正対象書類名】明細書
【補正対象項目名】００７３
【補正方法】変更
【補正の内容】
【００７３】
請求項１９に記載の復号化方法は、符号化データから、各ブロックの符号化方式を示す情報を抽出する抽出ステップ（例えば、図７のステップＳ１１）と、抽出ステップの処理で抽出された情報に基づいて復号化方式を決定し、復号化方式に従って符号化データから画像データを復元する復元ステップ（例えば、図７のステップＳ１２）とを含み、特徴量には、少なくとも画素値が極値である画素の数を示す極値数が含まれる。
【手続補正２９】
【補正対象書類名】明細書
【補正対象項目名】００７４
【補正方法】変更
【補正の内容】
【００７４】
請求項２２に記載の画像処理システム（例えば、図１の画像表示システム１）は、符号化部（例えば、図１の符号化部２２−２）が、画像データを所定のサイズのブロックにブロック化するブロック化手段（例えば、図４のブロック分割部６１）と、ブロック化手段によってブロック化された各ブロックの特徴量として、少なくとも画素値が極値である画素の数を示す極値数を検出する検出手段（例えば、図４の特徴量検出部６２）と、検出手段によって検出された特徴量に基づき、各ブロックの符号化方式を決定する決定手段（例えば、図４の符号化方式決定部６３）と、決定手段によって決定された各ブロックの符号化方式に従って、各ブロックの画像データを符号化する符号化手段（例えば、図４のブロック符号化部６４）とを含む。
【手続補正３０】
【補正対象書類名】明細書
【補正対象項目名】００７５
【補正方法】削除
【補正の内容】
【手続補正３１】
【補正対象書類名】明細書
【補正対象項目名】００７６
【補正方法】削除
【補正の内容】
【手続補正３２】
【補正対象書類名】明細書
【補正対象項目名】００７７
【補正方法】削除
【補正の内容】
【手続補正３３】
【補正対象書類名】明細書
【補正対象項目名】００７８
【補正方法】変更
【補正の内容】
【００７８】
請求項２３に記載の画像処理システム（例えば、図１の画像表示システム１）は、復号化部（例えば、図１の再生装置１４の復号化部３１−１）が、符号化データから、各ブロックの符号化方式を示す情報を抽出する抽出手段（例えば、図６の符号化データ分離部７１）と、抽出手段によって抽出された情報に基づいて復号化方式を決定し、復号化方式に従って符号化データから画像データを復元する復元手段（例えば、図６のブロック復号化部７２）とを含み、特徴量には、少なくとも画素値が極値である画素の数を示す極値数が含まれる。
【手続補正３４】
【補正対象書類名】明細書
【補正対象項目名】００７９
【補正方法】削除
【補正の内容】
【手続補正３５】
【補正対象書類名】明細書
【補正対象項目名】００８０
【補正方法】削除
【補正の内容】
【手続補正３６】
【補正対象書類名】明細書
【補正対象項目名】００８１
【補正方法】削除
【補正の内容】